(57)【要約】      （修正有）【課題】表示面側にインクジェット用紙を採用した段ボールを用いることにより、ＰＯＰ広告情報、その他の印刷表示をインクジェットプリンタにより直接印刷する際の発色性に優れた効果を発揮でき、印刷表示のイメージアップに寄与できるようにした段ボール製印刷加工物を提供する。【解決手段】段ボールの表示面２にＰＯＰ広告情報、その他の印刷表示３を付した段ボール製印刷加工物であって、表示面２側にインクジェット用紙を用い、成型後の段ボールのインクジェット用紙の表示面２に印刷表示３を直接インクジェット印刷する。【選択図】図１
0003189604.tif 000002
【実用新案登録請求の範囲】
【請求項１】
段ボールの表示面にＰＯＰ広告情報、その他の印刷表示を付した段ボール製印刷加工物において、前記表示面側にインクジェット印刷対応用紙を用い、前記段ボールに成型後の前記インクジェット印刷対応用紙の前記表示面に前記印刷表示をインクジェット印刷したことを特徴とする段ボール製印刷加工物。
【請求項２】
前記インクジェット印刷対応用紙は、表面にインクジェット印刷用のコーティング層が形成されたインクジェット用紙、又はインクの浸透性を有するインク浸透性用紙であることを特徴とする請求項１に記載の段ボール製印刷加工物。
【請求項３】
波形紙の両側に平形紙を貼り合わせた両面段ボールを用い、前記平形紙の少なくとも一方を前記インクジェット印刷対応用紙とし、該インクジェット印刷対応用紙の前記表示面に前記印刷表示をインクジェット印刷したことを特徴とする請求項１又は２に記載の段ボール製印刷加工物。
【請求項４】
波形紙の片面に平形紙を貼り合わせた片面段ボールを用い、前記波形紙と前記平形紙との少なくとも一方を前記インクジェット印刷対応用紙とし、該インクジェット印刷対応用紙の前記表示面に前記印刷表示をインクジェット印刷したことを特徴とする請求項１又は２に記載の段ボール製印刷加工物。
【請求項５】
前記波形紙を前記インクジェット印刷対応用紙とし、該インクジェット印刷対応用紙の前記表示面に前記印刷表示をインクジェット印刷したことを特徴とする請求項４に記載の段ボール製印刷加工物。
【請求項６】
前記印刷表示としてＰＯＰ広告用の広告情報がインクジェット印刷された段ボール製ＰＯＰ広告表示体であることを特徴とする請求項１〜５の何れかに記載の段ボール製印刷加工物。
【考案の詳細な説明】
【技術分野】
【０００１】
本考案は、小売店で使用される段ボール製ＰＯＰ広告表示体、その他の段ボール製印刷加工物に関するものである。
【背景技術】
【０００２】
段ボール製印刷加工物には、スーパー、ホームセンター等の小売店で店内に配置又は設置されるＰＯＰ広告表示体又は屋内看板、各種催しもの会場に設置される案内表示板、更には結婚式会場に配置されるウエルカムボード等、多種類のものがある。
【０００３】
この種の段ボール製印刷加工物、例えばＰＯＰ広告用の場合には、段ボール製の表示体を使用し、この表示体の表示面にインクジェットプリンタにより所定のＰＯＰ広告用の広告情報を印刷している（特許文献１）。
【先行技術文献】
【特許文献】
【０００４】
【特許文献１】登録実用新案第３１７１３０８号公報
【考案の概要】
【考案が解決しようとする課題】
【０００５】
段ボール製印刷加工物において、段ボールの表示面にＰＯＰ広告用の広告情報を表示する場合、成型後の段ボールに直接印刷する後印刷法と、オフセット印刷、グラビア印刷等で印刷した印刷用紙をライナーに合紙し、コルゲーターで段ボールに成型する先印刷法との二つの方法がある。
【０００６】
出来上がった段ボールに後印刷する後印刷法の場合は、ゴムや樹脂の凸版印刷では写真や細かい文字等の多色で精度の高い印刷はできない欠点がある。このため広告情報として写真等の高品質の印刷をする場合には、段ボールに成型する前の用紙に広告情報を印刷する前印刷法を採用しなければならない。従って、この場合には版代や抜き型代等が必要になり、ロット印刷しない限りコスト的な問題があり、大量に製作する場合に限られる欠点がある。
【０００７】
特許文献１に記載のような段ボール製の表示体を使用すれば、成型後の段ボールにインクジェットプリンタにより広告情報を直接印刷できるため、廃棄後のリサイクルが容易であり、環境問題の発生を未然に防止できるだけでなく、表示体自体の製造コストを大幅に低減でき、少量の表示体でも容易且つ安価に製作できる利点がある。
【０００８】
しかし、従来の表示体はクラフトパルプ、古紙を原料とする段ボール等、本来、インクジェットプリンタによる直接印刷を目的としない段ボールを使用しているため、その表示面に広告情報を印刷しても発色性が悪く、商品のイメージアップを企図して使用するＰＯＰ広告用としては、却って商品のイメージダウンを招来する惧れがある。
【０００９】
本考案は、このような従来の問題点に鑑み、表示面側にインクジェット印刷対応用紙を採用した段ボールを用いることにより、ＰＯＰ広告情報、その他の印刷表示をインクジェットプリンタにより直接印刷する際の発色性に優れた効果を発揮でき、印刷表示のイメージアップに寄与できる段ボール製印刷加工物を提供することを目的とする。
【課題を解決するための手段】
【００１０】
本考案は、段ボールの表示面にＰＯＰ広告情報、その他の印刷表示を付した段ボール製印刷加工物において、前記表示面側にインクジェット印刷対応用紙を用い、前記段ボールに成型後の前記インクジェット印刷対応用紙の前記表示面に前記印刷表示をインクジェット印刷したものである。
【００１１】
前記インクジェット印刷対応用紙は、表面にインクジェット印刷用のコーティング層が形成されたインクジェット用紙、又はインクの浸透性を有するインク浸透性用紙である。段ボール製印刷加工物は、波形紙の両側に平形紙を貼り合わせた両面段ボールを用い、前記平形紙の少なくとも一方を前記インクジェット印刷対応用紙とし、該インクジェット印刷対応用紙の前記表示面に前記印刷表示をインクジェット印刷してもよい。
【００１２】
段ボール製印刷加工物は、波形紙の片面に平形紙を貼り合わせた片面段ボールを用い、前記波形紙と前記平形紙との少なくとも一方を前記インクジェット印刷対応用紙とし、該インクジェット印刷対応用紙の前記表示面に前記印刷表示をインクジェット印刷してもよい。
【００１３】
段ボール製印刷加工物は、前記中芯を前記インクジェット印刷対応用紙とし、該インクジェット印刷対応用紙の前記表示面に前記印刷表示をインクジェット印刷してもよい。
【００１４】
段ボール製印刷加工物は、表示面にＰＯＰ広告用の広告情報がインクジェット印刷された段ボール製ＰＯＰ広告表示体であってもよい。
【考案の効果】
【００１５】
本考案によれば、表示面側にインクジェット印刷対応用紙を採用した段ボールを用いることにより、ＰＯＰ広告情報、その他の印刷表示をインクジェットプリンタにより直接印刷する際の発色性に優れた効果を発揮でき、印刷表示のイメージアップに寄与できる利点がある。
【図面の簡単な説明】
【００１６】
【図１】本考案の第１の実施形態を例示する段ボール製ＰＯＰ広告表示体の斜視図である。
【図２】同両面段ボールの拡大断面図である。
【図３】同表示体の製作過程の正面図である。
【図４】同表示体の製作過程の正面図である。
【図５】本考案の第２の実施形態を例示する段ボール製ＰＯＰ広告表示体の斜視図である。
【図６】同両面段ボールの拡大断面図である。
【図７】本考案の第３の実施形態を例示する段ボール製ＰＯＰ広告表示体の斜視図である。
【図８】同両面段ボールの拡大断面図である。
【図９】本考案の第４の実施形態を例示する段ボール製ＰＯＰ広告表示体の斜視図である。
【図１０】同片面段ボールの拡大断面図である。
【図１１】同表示体の製作過程の正面図である。
【図１２】本考案の第５の実施形態を例示する段ボール製ＰＯＰ広告表示体の斜視図である。
【図１３】同片面段ボールの拡大断面図である。
【考案を実施するための形態】
【００１７】
以下、本考案の各実施形態を図面に基づいて詳述する。図１〜図４は段ボール製印刷加工物の一つである段ボール製のＰＯＰ広告表示体１に本考案を適用した第１の実施形態を例示する。この段ボール製のＰＯＰ広告表示体１は、図１に示すように、商品陳列台又はその近傍の支持台１７上配置される自立型であって、ＰＯＰ広告表示体１の表示面２にＰＯＰ広告用の広告情報（印刷表示）３が表示されている。
【００１８】
ＰＯＰ広告表示体１は基材として両面段ボール４を用いたものであり、図１に示すように、縦長状の前面部５と、この前面部５の左右両側の折り曲げ部７を介して後側に折り曲げられた左右一対の側面部６とを有し、前面部５及び側面部６の下端が商品陳列台上に当接して自立するようになっている。ＰＯＰ広告表示体１は前面部５の前面及び側面部６の外側面が表示面２となっており、その各表示面２に例えば商品名「ＡＢＣ」、製造販売元「○○○○○○」、商品の写真（図１の斜線部分）等により構成されるＰＯＰ広告用の広告情報３がインクジェット印刷により印刷されている。
【００１９】
ＰＯＰ広告表示体１に使用する両面段ボール４は、図２に示すように、波形状に成型された中芯（波形紙）８と、この中芯８の表裏両側に糊付けにより貼り合わされたライナー（平形紙）９，１０とを有する。表裏両面のライナー９，１０の内、表示面２側となるライナー９には、その表示面２側にインクジェット印刷用のコーティング層１１が形成されたインクジェット用紙１２が使用されている。インクジェット用紙１２は例えば白色又は白色系のものであり、このインクジェット用紙１２の表示面２側であるコーティング層１１に、両面段ボール４の成型後にインクジェットプリンタにより広告情報３が直接インクジェット印刷されている。
【００２０】
なお、インクジェット用紙１２は広告情報３を印刷したときの発色性の点からは白色又は白色系が適当であるが、他の淡い色をした淡色系のものでもよい。またインクジェット用紙１２に代えて、白度が高くインクの浸透性を有する白色系のインク浸透性用紙を使用してもよい。従って、インクジェット印刷対応用紙であれば、インクジェット用紙１２以外のものでも十分に使用可能である。
【００２１】
このＰＯＰ広告表示体１を製作する際には、先ず両面段ボール原反を裁断して前面部５及び側面部６に相当する大きさの両面段ボール４を準備する。そして、この両面段ボール４をインクジェットプリンタに通して図３に示すように所定の広告情報３を直接インクジェット印刷し、必要に応じて折り曲げ部７用の罫線１３、裁断用等の罫線１４等を入れる。次に図４に示すように、罫線１４に沿って両面段ボール４を所定形状に裁断した後、折り曲げ部７用の罫線１３に沿って折り曲げて、図１に示すような前面部５と側面部６とを有する形状に仕上げる。
【００２２】
このように表示面２側のライナー９に、表示面２側にインクジェット印刷用のコーティング層１１が形成されたインクジェット用紙１２を用いて両面段ボール原反を成型し、この成型後の両面段ボール原反を裁断して得た両面段ボール４をインクジェットプリンタに通して、そのインクジェット用紙１２に広告情報３を直接インクジェット印刷することにより、従来の通常の段ボールを使用する場合に比較して印刷時のインクの発色性が向上する利点がある。従って、ＰＯＰ広告表示体１に表示された広告情報３が発色性に優れたものとなり、その発色性によりＰＯＰ広告表示体１自体の見栄えが格段に向上し購買者等に対して好印象を与える結果、商品その他のイメージの向上に寄与することができる利点がある。
【００２３】
またＰＯＰ広告表示体１は両面段ボール４を使用しているため、廃棄後のリサイクルが容易であり、環境問題の発生を未然に防止することができる。更に製作に当たっては、一方のライナー９にインクジェット用紙１２を用いて成型した両面段ボール原反から、所定の大きさの両面段ボール４を得た後、その両面段ボール４の表示面２のインクジェット用紙１２に広告情報３をインクジェット印刷すればよい。従って、ＰＯＰ広告表示体１自体の製造コストを大幅に低減でき、少量でも容易且つ安価に製作できることは云うまでもない。
【００２４】
図５、図６は本考案の第２の実施形態を例示する。この段ボール製のＰＯＰ広告表示体１は、図５に示すように両面段ボール製であって、商品陳列棚１５の前面に装着された支持部１６に横方向に着脱自在に挿入され、その前面の表示面２に商品広告、その他の広告情報３が表示されている。
【００２５】
ＰＯＰ広告表示体１は両面段ボール４を横長状に裁断したものであって、図６に示すように、波形状に成型された中芯（波形紙）８と、この中芯８の表裏両側に糊付けにより貼り合わされたライナー（平形紙）９，１０とを有する。表示面２側となる一方のライナー９はインクジェット用紙１２により構成されており、そのインクジェット用紙１２にはインクジェット印刷用のコーティング層１１が設けられている。そして、インクジェット用紙１２のコーティング層１１に、広告情報３が直接インクジェット印刷されている。他の構成は第１の実施形態と同じである。
【００２６】
このように両面段ボール４の一方のライナー９を表示面２側として広告情報３を表示する場合には、その一方のライナー９にインクジェット用紙１２を用いたものを使用すればよい。ＰＯＰ広告表示体１の形状、構造は適宜変更可能である。
【００２７】
なお、一方のライナー９を表示面２側として、その表示面２側にのみ広告情報３を表示する場合にも、両側のライナー９，１０にインクジェット用紙１２を用いたものを採用してもよい。
【００２８】
図７、図８は本考案の第３の実施形態を例示する。この段ボール製のＰＯＰ広告表示体１は、図７に示すように商品陳列棚１５の前面の支持部１６に前方に突出して装着され、その左右両側の表示面２に売り場表示、その他のＰＯＰ広告用の広告情報３が表示されている。
【００２９】
このＰＯＰ広告表示体１は両面段ボール製であるが、左右両面が広告情報３の表示面２となっているため、その両面段ボール４には、図８に示すように中芯（波形紙）８の両側のライナー（平形紙）９，１０に、表示面２側にコーティング層１１を有するインクジェット用紙１２が使用されている。
【００３０】
このように両面が広告情報３の表示面２となるＰＯＰ広告表示体１の場合には、両側のライナー９，１０に、表示面２側にコーティング層１１を有するインクジェット用紙１２が採用された両面段ボール４を使用すればよい。他の構成は第１の実施形態又は第２の実施形態と同様である。
【００３１】
図９〜図１１は本考案の第４の実施形態を例示する。この段ボール製のＰＯＰ広告表示体１は、図９に示すように商品陳列台等の上に配置される自立型であって、片面段ボール１８により円筒状に構成され、その外周側の表示面２にＰＯＰ広告用の広告情報３が表示されている。
【００３２】
このＰＯＰ広告表示体１は、図１０に示すように、波形状の中芯（波形紙）８と、この中芯８の一側に貼り合わされたライナー（平形紙）９とを有する片面段ボール１８を使用して、その中芯８が外側となる円筒状に構成されている。そして、中芯８の外周面が表示面２となっており、その表示面２に図１０に示すように広告情報３がインクジェット印刷により印刷されている。中芯８は表示面２側にインクジェット印刷用のコーティング層１１が形成されたインクジェット用紙１２により構成されている。他の構成は第１の実施形態と同様である。
【００３３】
このように片面段ボール１８を使用して、その中芯８側を表示面２とする場合には、表示面２側にインクジェット印刷用のコーティング層１１が形成されたインクジェット用紙１２を使用すればよい。また中芯８側を表示面２とする場合には、そのインクジェット用紙１２自体が波形状に成型されており、表示面２に凹凸があるが、インクジェット印刷であれば、その凹凸に影響されずに容易に広告情報３を直接印刷することができる。
【００３４】
しかも、インクジェット用紙１２によって構成される中芯８の表示面２が凹凸状になっているので、インクジェット用紙１２の使用によりインクの発色性が向上するだけでなく、単に平坦面に広告情報３を直接インクジェット印刷する場合に比較して、表示面２側の波形形状による凹凸により立体感等が加わる等、今までにない変化に富んだ表現を低コストで釀し出すことができる。
【００３５】
なお、この第４の実施形態では、円筒状のＰＯＰ広告表示体１を例示しているが、その他の立体形状でもよいし、第２の実施形態のような横長状（又は縦長状）の平板に構成してもよい。従って、ＰＯＰ広告表示体１の形状は、立体形状、平板形状等の何れでもよい。
【００３６】
図１２、図１３は本考案の第５の実施形態を例示する。この段ボール製ＰＯＰ広告表示体１は、図１２に示すように商品陳列台等に配置される自立型であって、片面段ボール１８の中芯８を内側とする円筒状に構成され、その外周側の表示面２にＰＯＰ広告用の広告情報３が表示されている。
【００３７】
ＰＯＰ広告表示体１は波形状の中芯（波形紙）８と、この中芯８の一側に貼り合わされたライナー（平形紙）９とを有する片面段ボール１８を使用して、そのライナー９が外側となる円筒状に構成されている。そして、ライナー９には、図１３に示すように、外周の表示面２側にコーティング層１１を有するインクジェット用紙１２が使用されており、その表示面２に広告情報３がインクジェット印刷により印刷されている。
【００３８】
このようにライナー９を外側とする円筒状のＰＯＰ広告表示体１の場合には、そのライナー９にインクジェット用紙１２を使用すればよい。なお、ＰＯＰ広告表示体１は立体形状、平板形状の何れでもよい。また内外周が表示面２となる場合には、中芯８及びライナー９にインクジェット用紙１２を用いてもよい。
【００３９】
以上、本考案の各実施形態について詳述したが、本考案はこの各実施形態に限定されるものではなく、本考案の趣旨を逸脱しない範囲で種々の変更が可能である。例えば、インクジェット用紙１２は白色又は白色系の他、それ以外の淡色系のものでもよい。ＰＯＰ広告用の広告情報３の印刷はフルカラー印刷の他、１色又は複数色での印刷でもよい。
【００４０】
広告情報３は商品名、商品説明、商品写真等の商品情報の他、売り場表示、順路表示等、ＰＯＰ広告の範疇に属する一切のものが含まれる。従って、広告情報３は文字、絵、写真等でもよいことは云うまでもない。ＰＯＰ広告表示体１の形状、構造は適宜変更可能である。
【００４１】
また各実施形態では、段ボール製印刷加工物の一例としてＰＯＰ広告表示体１を例示しているが、ＰＯＰ広告表示体１だけでなく、各種の屋内看板、案内表示板、掲示板にも適用できるし、結婚式会場のウエルカムボード、ペーパートルソー（段ボール製人型のボディー）、各種の段ボール製箱等にも適用できることは云うまでもない。
【００４２】
印刷表示はＰＯＰ広告表示体１の場合には広告情報３となるが、段ボール４，１８の表示面２に印刷される印刷表示は、段ボール製印刷加工物の種類に応じて文字、絵、写真の他、１色又は複数色の着色、更にはそれらの組み合わせ等が考えられる。
【符号の説明】
【００４３】
１  ＰＯＰ広告表示体
２  表示面
３  広告情報（印刷表示）
４  両面段ボール
８  中芯（波形紙）
９，１０  ライナー（平形紙）
１１  コーティング層
１２  インクジェット用紙（インクジェット印刷対応用紙）
１８  片面段ボール
【図１】
0003189604.tif 000003
【図２】
0003189604.tif 000004
【図３】
0003189604.tif 000005
【図４】
0003189604.tif 000006
【図５】
0003189604.tif 000007
【図６】
0003189604.tif 000008
【図７】
0003189604.tif 000009
【図８】
0003189604.tif 000010
【図９】
0003189604.tif 000011
【図１０】
0003189604.tif 000012
【図１１】
0003189604.tif 000013
【図１２】
0003189604.tif 000014
【図１３】
0003189604.tif 000015